(57)【特許請求の範囲】
【請求項１】
撮像装置により得られる撮像結果のファイルを処理する画像処理装置において、
前記撮像結果のファイルは、
少なくとも画質補正前の画像データと、撮影時の画質補正処理を特定する画質補正情報と、前記画質補正前の画像データから特定領域の切出し画像データを切り出す基準情報とを有し、
前記画像処理装置は、
前記撮像結果のファイルを取得するデータ取得部と、
前記データ取得部で取得した前記撮像結果のファイルの前記画質補正前の画像データから、前記基準情報に基づいて前記切出し画像データを選択的に切り出し、切り出した前記切出し画像データを前記画質補正情報に基づいて画質補正する画質補正部と、
前記画質補正部で画質補正した前記切出し画像データを表示する画像表示部とを有する
ことを特徴とする画像処理装置。
【請求項２】
撮像装置により得られる撮像結果のファイルを処理する画像処理方法において、
前記撮像結果のファイルは、
少なくとも画質補正前の画像データと、撮影時の画質補正処理を特定する画質補正情報と、前記画質補正前の画像データから特定領域の切出し画像データを切り出す基準情報とを有し、
前記画像処理方法は、
前記撮像結果のファイルを取得するデータ取得のステップと、
前記データ取得のステップで取得した前記撮像結果のファイルの前記画質補正前の画像データから、前記基準情報に基づいて前記切出し画像データを選択的に切り出し、切り出した前記切出し画像データを前記画質補正情報に基づいて画質補正する画質補正のステップと、
前記画質補正のステップで画質補正した前記切出し画像データを表示する画像表示のステップとを有する
ことを特徴とする画像処理方法。
【請求項３】
前記基準情報が、
前記撮像結果において合焦している位置を示す情報である
ことを特徴とする請求項２に記載の画像処理方法。
【請求項４】
前記画質補正のステップにおける画質補正が、
前記撮像結果の高域成分を可変する処理である
ことを特徴とする請求項２に記載の画像処理方法。
【請求項５】
前記高域成分を可変する処理が、ノイズ抑圧処理である
ことを特徴とする請求項４に記載の画像処理方法。
【請求項６】
前記画像表示のステップにおける表示が、
前記データ取得のステップで取得した前記撮像結果のファイルの一覧表示である
ことを特徴とする請求項２に記載の画像処理方法。
【請求項７】
前記撮像結果のファイルは、
前記画質補正前の画像データを間引きしたサムネイル画像の画像データ、又は前記画質補正前の画像データを前記画質補正情報で画質補正したサムネイル画像の画像データを有し、
前記画像処理方法は、
前記特定領域について、前記サムネイル画像の画像データを表示するサムネイル画像の表示ステップを有し、
前記画像表示のステップは、
前記サムネイル画像の表示ステップで表示した画像を、前記画質補正のステップで画質補正した切出し画像データの画像で順次置き換えて、前記画質補正のステップで画質補正した切出し画像データを表示する
ことを特徴とする請求項２に記載の画像処理方法。
【請求項８】
前記データ取得のステップは、
複数の前記撮像結果のファイルを取得し、
前記画像処理方法は、
前記データ取得のステップで取得した複数の前記撮像結果のファイルをサムネイル画像で一覧表示する一覧表示のステップと、
前記一覧表示でユーザーの選択を受け付ける画像選択のステップとを有し、
前記画質補正のステップは
前記画像選択のステップで選択された前記撮像結果について、前記切出し画像データを選択的に切り出して画質補正する
ことを特徴とする請求項２に記載の画像処理方法。
【請求項９】
前記画質補正のステップは、
ユーザーによる操作に応動して画質補正量を可変する
ことを特徴とする請求項９に記載の画像処理方法。
【請求項１０】
撮像装置により得られる撮像結果のファイルを処理する画像処理方法のプログラムにおいて、
前記撮像結果のファイルは、
少なくとも画質補正前の画像データと、撮影時の画質補正処理を特定する画質補正情報と、前記画質補正前の画像データから特定領域の切出し画像データを切り出す基準情報とを有し、
前記画像処理方法のプログラムは、
前記撮像結果のファイルを取得するデータ取得のステップと、
前記データ取得のステップで取得した前記撮像結果のファイルの前記画質補正前の画像データから、前記基準情報に基づいて前記切出し画像データを選択的に切り出し、切り出した前記切出し画像データを前記画質補正情報に基づいて画質補正する画質補正のステップと、
前記画質補正のステップで画質補正した前記切出し画像データを表示する画像表示のステップとを有する
ことを特徴とする画像処理方法のプログラム。
【請求項１１】
撮像装置により得られる撮像結果のファイルを処理する画像処理方法のプログラムを記録した記録媒体において、
前記撮像結果のファイルは、
少なくとも画質補正前の画像データと、撮影時の画質補正処理を特定する画質補正情報と、前記画質補正前の画像データから特定領域の切出し画像データを切り出す基準情報とを有し、
前記画像処理方法のプログラムは、
前記撮像結果のファイルを取得するデータ取得のステップと、
前記データ取得のステップで取得した前記撮像結果のファイルの前記画質補正前の画像データから、前記基準情報に基づいて前記切出し画像データを選択的に切り出し、切り出した前記切出し画像データを前記画質補正情報に基づいて画質補正する画質補正のステップと、
前記画質補正のステップで画質補正した前記切出し画像データを表示する画像表示のステップとを有する
ことを特徴とする画像処理方法のプログラムを記録した記録媒体。
【発明の詳細な説明】
【技術分野】
【０００１】
本発明は、画像処理装置、画像処理方法、画像処理方法のプログラム、画像処理方法のプログラムを記録した記録媒体に関し、例えば電子スチルカメラのシステムに適用することができる。本発明は、ＲＡＷデータを部分的に切り出し、画質補正して表示することにより、撮像結果の細部の確認に要する時間を従来に比して短くすることができるようにする。
【背景技術】
【０００２】
従来、電子スチルカメラは、ＲＡＷデータの形式で撮像結果を記録媒体に記録するものが提供されている。ここでＲＡＷデータは、撮像素子から得られる撮像結果の画像データであって、ガンマ補正処理、オートホワイトバランス調整処理、撮影モードに応じた色相補正処理、周波数特性の補正処理、ノイズリダクション処理等の、撮像結果を表示するための一連の画質補正処理を実行していない画質補正前の画像データである。また撮影モードは、例えば人物撮影、風景撮影等の撮影のシーンによって、画質を補正するモードである。
【０００３】
このようなＲＡＭデータの電子スチルカメラに関して、特開平６−９０４３５号公報、特開２００３−３４６１４３号公報等には、記録媒体に記録された撮像結果をコンピュータで処理する際に、記録媒体に記録されたＲＡＷデータを間引きしてサムネイル画像を生成し、このサムネイル画像で撮像結果を表示する方法が提案されている。この方法によれば、このサムネイル画像でプレビューの処理を実行して、編集結果の確認に要する時間を短くすることができ、ユーザーの使い勝手を向上することができる。
【０００４】
また電子スチルカメラは、画質補正処理した撮像結果を記録媒体に記録するものもある。このような電子スチルカメラでは、この画質補正した画像データである画質補正済みの画像データを間引きしてインデックス用のサムネイル画像を生成し、このインデックス用のサムネイル画像を画質補正処理した撮像結果と共にＥＸＩＦ（EXchangeable Image file Format）等のファイルフォーマットで記録媒体に記録する。この種の電子スチルカメラでは、このインデックス用のサムネイル画像を撮像結果と共に記録することにより、このサムネイル画像を用いて記録媒体に記録された撮像結果を簡易に一覧表示することができる。
【０００５】
ところでユーザーによっては、撮像結果の細部を確認したい場合もある。具体的には、フォーカスを確認する場合、ノイズリダクション処理結果を確認する場合等である。このような場合に、サムネイル画像を用いて撮像結果を表示していたのでは、結局、細部を確認することが困難であることから、元のＲＡＷデータを処理して表示することになる。従ってこの場合、細部の確認に時間を要する問題がある。
【特許文献１】特開平６−９０４３５号公報
【特許文献２】特開２００３−３４６１４３号公報
【発明の開示】
【発明が解決しようとする課題】
【０００６】
本発明は以上の点を考慮してなされたもので、撮像結果の細部の確認に要する時間を従来に比して短くすることができる画像処理装置、画像処理方法、画像処理方法のプログラム、画像処理方法のプログラムを記録した記録媒体を提案しようとするものである。
【課題を解決するための手段】
【０００７】
上記の課題を解決するため請求項１の発明は、撮像装置により得られる撮像結果のファイルを処理する画像処理装置において、前記撮像結果のファイルは、少なくとも画質補正前の画像データと、撮影時の画質補正処理を特定する画質補正情報とを有し、前記画像処理装置は、前記撮像結果のファイルを取得するデータ取得部と、前記データ取得部で取得した前記撮像結果のファイルの前記画質補正前の画像データを前記画質補正情報に基づいて画質補正する画質補正部と、前記画質補正部で画質補正した画像データを表示する画像表示部とを有し、前記画像表示部は、前記画質補正前の画像データの画像から切り出した特定領域に対応する領域を部分的に表示し、前記画質補正部は、前記特定領域の前記画質補正前の画像データを選択的に取得して画質補正する。
【０００８】
また請求項２の発明は、撮像装置により得られる撮像結果のファイルを処理する画像処理方法において、前記撮像結果のファイルは、少なくとも画質補正前の画像データと、撮影時の画質補正処理を特定する画質補正情報とを有し、前記画像処理方法は、前記撮像結果のファイルを取得するデータ取得のステップと、前記データ取得のステップで取得した前記撮像結果のファイルの前記画質補正前の画像データを前記画質補正情報に基づいて画質補正する画質補正のステップと、前記画質補正のステップで画質補正した画像データを表示する画像表示のステップとを有し、前記画像表示のステップは、前記画質補正前の画像データの画像から切り出した特定領域に対応する領域を部分的に表示し、前記画質補正のステップは、前記特定領域の前記画質補正前の画像データを選択的に取得して画質補正する。
【０００９】
また請求項１１の発明は、撮像装置により得られる撮像結果のファイルを処理する画像処理方法のプログラムにおいて、前記撮像結果のファイルは、少なくとも画質補正前の画像データと、撮影時の画質補正処理を特定する画質補正情報とを有し、前記画像処理方法のプログラムは、前記撮像結果のファイルを取得するデータ取得のステップと、前記データ取得のステップで取得した前記撮像結果のファイルの前記画質補正前の画像データを前記画質補正情報に基づいて画質補正する画質補正のステップと、前記画質補正のステップで画質補正した画像データを表示する画像表示のステップとを有し、前記画像表示のステップは、前記画質補正前の画像データの画像から切り出した特定領域に対応する領域を部分的に表示し、前記画質補正のステップは、前記特定領域の前記画質補正前の画像データを選択的に取得して画質補正する。
【００１０】
また請求項１２の発明は、撮像装置により得られる撮像結果のファイルを処理する画像処理方法のプログラムを記録した記録媒体において、前記撮像結果のファイルは、少なくとも画質補正前の画像データと、撮影時の画質補正処理を特定する画質補正情報とを有し、前記画像処理方法のプログラムは、前記撮像結果のファイルを取得するデータ取得のステップと、前記データ取得のステップで取得した前記撮像結果のファイルの前記画質補正前の画像データを前記画質補正情報に基づいて画質補正する画質補正のステップと、前記画質補正のステップで画質補正した画像データを表示する画像表示のステップとを有し、前記画像表示のステップは、前記画質補正前の画像データの画像から切り出した特定領域に対応する領域を部分的に表示し、前記画質補正のステップは、前記特定領域の前記画質補正前の画像データを選択的に取得して画質補正する。
【００１１】
請求項１、請求項２、請求項１１又は請求項１２の構成によれば、表示する特定領域だけ画質補正前の画像データを選択的に画質補正して表示することができ、例えば全画面分、画質補正前の画像データを画質補正して部分的に表示する場合に比して、表示に要する時間を短くすることができる。
【発明の効果】
【００１２】
本発明によれば、撮像結果の細部の確認に要する時間を従来に比して短くすることができる。
【発明を実施するための最良の形態】
【００１３】
以下、適宜図面を参照しながら本発明の実施例を詳述する。
【実施例１】
【００１４】
（１）実施例の構成
図１は、本発明の実施例の電子スチルカメラシステムに適用される電子スチルカメラを示すブロック図である。この電子スチルカメラシステムは、この電子スチルカメラ１で撮影した撮像結果をコンピュータで編集処理する。
【００１５】
ここでこの電子スチルカメラ１において、図示しないレンズは、中央処理ユニット（ＣＰＵ）２で指示された撮影の条件で、入射光を集光し、続く撮像素子３の撮像面に光学像を形成する。なおここでこのレンズにおける撮影の条件は、絞り、ズーム、フォーカス等の設定である。
【００１６】
撮像素子３は、ＣＣＤ（Charge Coupled Device ）固体撮像素子、ＣＭＯＳ（Complementary Metal-Oxide Semiconductor ）固体撮像素子等により構成され、撮像面に形成された光学像の撮像結果を出力する。
【００１７】
前処理回路４は、撮像素子３の出力信号を相関二重サンプリング処理、自動利得調整処理、アナログディジタル変換処理し、撮像結果の画像データを生成して出力する。
【００１８】
光学補正回路５は、この前処理回路４から出力される画像データを欠陥補正処理し、ＲＡＷデータＤＲを出力する。
【００１９】
画像処理回路６は、このＲＡＷデータＤＲを入力し、解像度変換処理、ガンマ補正処理、ホワイトバランス調整処理、画質補正処理等の画質補正処理を順次実行し、画質補正済みの画像データを出力する。この電子スチルカメラ１は、この画像処理回路６から出力される画質補正済みの画像データを図示しない表示装置で表示し、撮像結果のモニタ画像を表示する。
【００２０】
エンコーダ（ＥＮＣ）７は、例えばＪＰＥＧ（Joint Photographic Coding Experts Group ）で画像処理回路６から出力される画像データをデータ圧縮し、さらにこの画像データからサムネイル画像を生成してデータ圧縮し、ＥＸＩＦにより処理結果を出力する。また中央処理ユニット２の制御により動作を切り換え、このデータ圧縮されたサムネイル画像の画像データをＲＡＷデータファイル生成回路１０に出力する。
【００２１】
インターフェース（ＩＦ）８は、このエンコーダ７の出力データを記録媒体９に記録する。また中央処理ユニット２の制御により動作を切り換え、ＲＡＷデータファイル生成回路１０から出力されるＲＡＷデータファイルのデータを記録媒体９に記録する。また記録媒体９に記録されたデータを再生して各部に出力する。
【００２２】
記録媒体９は、この実施例ではメモリカードであり、インターフェース８から出力される各種のデータを記録する。なおこの記録媒体９は、メモリカードに限らず、光ディスク、磁気ディスク等、種々の記録媒体を広く適用することができる。
【００２３】
ＲＡＷデータファイル生成回路１０は、光学補正回路５から出力されるＲＡＷデータＤＲ、中央処理ユニット２から出力されるサムネイル画像データＤＴ、撮影時の撮影情報ＤＳ等でＲＡＷデータファイルを生成し、このＲＡＷデータファイルのデータをインターフェース８に出力する。ここでサムネイル画像データＤＴは、ＲＡＷデータＤＲを間引きして生成されるサムネイル画像の画像データである。撮影時の撮影情報ＤＳは、ＲＡＷデータの撮影時、この電子スチルカメラ１に設定された撮影条件の情報であり、画像処理回路６における画質補正処理を特定する画質補正情報、レンズ、撮像素子３の設定を特定する光学系の情報等により構成される。具体的に、画質補正情報は、画像処理回路６における色相、階調、周波数特性等の補正を特定する情報であり、画質補正モード（色モード）の情報等により構成される。これに対して光学系の情報は、シャッター速度、焦点距離、絞り等の情報である。
【００２４】
ＲＡＷデータファイルは、図２に示すように、ＥＸＩＦに準拠したフォーマットでＲＡＷデータを記録するファイルであり、ＥＸＩＦと同様にヘッダーが設けられ、ＩＦＤ（Image File Directory）により各種のデータが割り当てられる。
【００２５】
ここでＲＡＷデータファイルは、ファイル先頭のフィールドＦ１に、メイン画像データの再生に必要な情報（メイン画像データＩＦＤ０）、このメイン画像データの撮影時の情報（撮影情報ＩＦＤ１）が記録される。ここでこの実施例では、メイン画像データにＲＡＷデータＤＲが割り当てられ、メイン画像データの撮影時の情報は、ＲＡＷデータの撮影時に使用した電子スチルカメラ１を特定する情報、上述の撮影条件の情報が割り当てられる。具体的には、ＥＸＩＦの対応する情報が割り当てられ、絞り、フォーカス距離、シャッター速度等の情報、画像処理回路６における画質補正モード等の情報、さらにファイル名、ユーザー名等のＥＸＩＦに定義された情報が割り当てられる。
【００２６】
またＲＡＷデータファイルは、続くフィールドＦ２に、エンコーダ７で生成されるＪＰＥＧでデータ圧縮したサムネイル画像データが割り当てられ、さらに続くフィールドＦ３に、この電子スチルカメラ１のメーカーが独自に定義した情報（平文部メーカーノートＩＦＤ）が記録される。ＲＡＷデータファイルは、これら先頭３フィールドＦ１〜Ｆ３がＥＸＩＦのフォーマットで作成されることから、ＥＸＩＦのファイルを処理可能な各種アプリケーションによっても、メイン画像データに割り当てたＲＡＷデータを再生できるように形成される。
【００２７】
続いてＲＡＷデータファイルは、メイン画像データの撮影時の撮影情報ＤＳ０が割り当てられる。具体的にこの実施例では、続くフィールドＦ４に、ＲＡＷデータＤＲの撮影時における電子スチルカメラ１の絞りの設定（０ＥＶ、−１ＥＶ等の設定）、シャッター速度、撮影モード等が記録される。また続いて撮影時に得られた具体的なパラメータが順次記録される。この実施例では、この具体的なパラメータとして、初めに、撮影時を再現する画像処理に必要なパラメータが記録された後、ＲＡＷデータを部分的に切り出す際に使用する基準のパラメータが各種記録される。以下、このＲＡＷデータを部分的に切り出す際に使用する基準のパラメータを切り出し用基準情報と呼ぶ。
【００２８】
すなわちＲＡＷデータファイルは、続くフィールドＦ５に、撮影時を再現する画像処理に必要なパラメータが記録される。以下このパラメータを撮影時の画像処理情報と呼ぶ。従って絞りは、先頭側のフィールドＦ４に、例えば０ＥＶと記録され、続くフィールドＦ５の画像処理情報ＤＳ０Ａに、具体的な絞り値５．６等が記録される。また画質補正モードは、先頭側のフィールドＦ４に、オートホワイトバランス調整モード、人物撮影の撮影モード等が記録され、また続くフィールドＦ５の画像処理情報ＤＳ０Ａに、このオートホワイトバランス調整モードにおける各色信号の利得、撮影モードに応じた色補正のパラメータ等が記録される。
【００２９】
またＲＡＷデータファイルは、続くフィールドＦ６に、各種の切り出し用基準情報ＤＳ０Ｂが設定される。具体的に、このフィールドＦ６には、フォーカス調整から検出される撮影時の合焦位置情報が記録される。ここでこの撮影時の合焦位置情報は、ＲＡＷデータＤＲの画像において合焦している領域の位置情報である。また続いて撮影時のフォーカスサーチ処理で検出された背景の合焦位置情報が記録される。従ってこの電子スチルカメラ１は、合焦位置を無限遠から手前側に順次近づけてフォーカスサーチの処理を実行し、このフォーカスサーチ時、最も遠い側で合焦した領域の位置情報をこの背景の合焦位置情報に設定する。
【００３０】
またＲＡＷデータファイルは、このフィールドＦ６に、撮影時に検出された顔の位置情報が記録される。従ってこの電子スチルカメラ１では、撮影時、顔のテンプレートを用いて、中央処理ユニット２で顔が撮影されている領域を検出し、この顔が検出された領域をこの顔位置の情報に設定する。なおこの電子スチルカメラ１は、例えばユーザーが人物撮影の撮影モードを選択している場合には、この顔を検出した領域が合焦するようにフォーカス調整してＲＡＷデータＤＲを取得する。なお顔が検出されない場合、顔の位置情報にはその旨が記録される。
【００３１】
またＲＡＷデータファイルは、続いて逆光位置の情報が記録される。ここで逆光位置の情報は、撮像結果中で逆光の部分を示す位置情報であり、フォーカスサーチの際に撮像結果の各部における合焦位置を検出し、この合焦位置の検出結果から、１つの物体を撮影したと判断される領域であって、合焦位置が手前側程、輝度レベルの低い領域を検出し、この検出した領域の位置情報を逆光位置の情報に設定する。ＲＡＷデータファイルは、さらに飽和位置の情報が記録される。ここで飽和位置の情報は、この電子スチルカメラ１のダイナミックレンジによって輝度レベルが飽和している領域の位置である。電子スチルカメラ１は、撮影時、絞りを可変し、この絞りの可変に対する各部の輝度レベルの変化を判定して飽和している領域を検出する。またこの検出した領域の位置情報をこの飽和位置の情報に設定する。またＲＡＷデータファイルは、撮影時における光軸中心の情報が記録される。ここでこの光軸中心の情報は、レンズに設けられたレンズの機種を特定する情報に基づいて設定される。なお、これら逆光位置情報、飽和位置情報、光軸中心位置情報にあっても、対応する位置情報を検出できない場合、それぞれその旨が記録される。ＲＡＷデータファイルは、続いて他の各種のパラメータが順次割り当てられてこのメイン画像データの撮影時の撮影情報ＤＳ０が形成される。
【００３２】
またＲＡＷデータファイルは、続いて編集処理の撮影情報ＤＳ１、ＤＳ２、……が記録される。ここで編集処理の撮影情報ＤＳ１、ＤＳ２、……は、編集処理で設定される撮影情報であり、撮影時の撮影情報ＤＳ０に割り当てた撮影時を再現する画像処理情報ＤＳ０Ａに対応して設定される。撮影情報ＤＳ１、ＤＳ２、……は、撮影時の撮影情報ＤＳ０のフィールドＦ４に割り当てた絞りの設定、シャッター速度、撮影モード等の撮影情報に、履歴の情報が追加されて、先頭側のフィールドＦ７が形成される。なお履歴の情報は、各撮影情報ＤＳ１、ＤＳ２、……をＲＡＷデータファイルに設定した日時の情報である。さらにＲＡＷデータファイルは、続くフィールドＦ８に、直前フィールドＦ７に割り当てた撮影情報に対応する具体的な画像処理情報が記録される。
【００３３】
ＲＡＷデータファイルは、この編集処理の撮影情報ＤＳ１、ＤＣ２、……の領域に続いて、サムネイル画像データＤＴの再生に必要な情報が割り当てられ、さらに続くフィールドにサムネイル画像データＤＴが割り当てられる。また続いてメイン画像データであるＲＡＷデータＤＲが割り当てられる。ＲＡＷデータファイルは、このメイン画像データに続いて、撮影時の撮影情報ＤＳ０に割り当てた切り出し用基準情報（フイールドＦ６）に対応する情報であって、編集処理時に設定した切り出し用基準情報を追加可能に形成される。なおこの追加する情報は、撮影時の撮影情報ＤＳ０と同様のフィールド構造で、かつ編集処理時における撮影情報ＤＳ１、……と同様に履歴の情報が設定される。
【００３４】
ここでＲＡＷデータファイルは、ＲＡＷデータのデータ量が全体のデータ量の９５〔％〕程度を占めることになるが、このＲＡＷデータがファイルの末尾に割り当てられていることから、ファイル先頭から５〔％〕程度を再生するだけで、サムネイル画像データ、撮影情報ＤＳ０、編集処理の撮影情報ＤＳ１〜ＤＳ３等を取得することができる。
【００３５】
この図２に示すフォーマットに従って、ＲＡＷデータファイル生成回路１０は、ＲＡＷデータファイルで撮像結果を記録する場合、中央処理ユニット２の指示により画像処理回路６から出力されるＲＡＷデータＤＲ、中央処理ユニット２から出力される撮影情報ＤＳ及びサムネイル画像データＤＴ、エンコーダ７で生成されるＪＰＥＧによるサムネイル画像データ等により、このＲＡＷデータファイルのデータを生成してインターフェース８に出力する。
【００３６】
中央処理ユニット２は、メモリ１１に記録された処理プログラムに従ってこの電子スチルカメラ１全体の動作を制御する制御部である。なおこの実施例において、この処理プログラムは、事前に、この電子スチルカメラ１にインストールされて提供されるものの、この事前のインストールに代えて、インターネット等のネットワークを介したダウンロードにより提供するようにしてもよく、また光ディスク、磁気ディスク、メモリカード等の記録媒体に記録して提供するようにしてもよい。
【００３７】
このプログラムの実行により、中央処理ユニット２は、ユーザーが撮像結果の取得を指示すると、撮像素子３、前処理回路４、光学補正回路５を制御してユーザーの指示した絞り、シャッター速度等で撮像結果を取得して図示しないメモリにＲＡＷデータＤＲを保持する。また画像処理回路６を制御してこのＲＡＷデータＤＲの撮像結果をユーザーが指示した画質に画質補正して画質補正済みの画像データを生成し、この画質補正済みの画像データを表示部で表示する。
【００３８】
またこの取得した撮像結果の記録をユーザーが指示すると、この撮像結果を記録媒体９に記録するように全体の動作を制御する。このときユーザーがＥＸＩＦファイルでの撮像結果の記録を指示している場合、中央処理ユニット２は、エンコーダ７、インターフェース８を制御して、画像処理回路６から出力される画質補正済み画像データをＪＰＥＧでデータ圧縮し、ＥＸＩＦファイルで記録媒体９に記録する。
【００３９】
これに対してユーザーがＲＡＷデータＤＲでの撮像結果の記録を指示した場合、中央処理ユニット２は、メモリに保持したＲＡＷデータＤＲを処理してサムネイル画像データＤＴを生成する。ここで中央処理ユニット２は、このＲＡＷデータＤＲの垂直方向及び水平方向の間引きによりサムネイル画像データＤＴを生成する。なお具体的に、この実施例では、垂直方向及び水平方向にそれぞれ連続する５サンプリングの領域毎に、１サンプリングを選択してサムネイル画像データＤＴを生成する。従って中央処理ユニット２は、間引き率１／５でサムネイル画像データＤＴを生成する。また事前に、ローパスフィルタを用いて水平方向及び垂直方向の解像度を低減し、間引き時の偽信号の発生を防止する。なおここでこのローパスフィルタによる処理は、連続するサンプリング値をｄ１〜ｄ４とおいて、（１×ｄ１＋２×ｄ２＋２×ｄ３＋１×ｄ４）／８の演算処理により実行される。
【００４０】
中央処理ユニット２は、さらにエンコーダ７を制御して画質補正済みの画像データからサムネイル画像データを生成し、またＲＡＷデータＤＲの撮影時の各部の設定等から撮影時の撮影情報ＤＳを生成する。またこの撮影情報ＤＳ、サムネイル画像データＤＴ、エンコーダ７からのサムネイル画像データ等をＲＡＷデータファイル生成回路１０に出力し、ＲＡＷデータファイル生成回路１０、インターフェース８を制御して上述したＲＡＷデータファイルを記録媒体９に記録する。
【００４１】
このとき、中央処理ユニット２は、編集処理の撮影情報ＤＳ１、……のフィールドについては、例えばダミーデータの設定により意味を有しない情報を設定するようにＲＡＷデータファイル生成回路１０の動作を制御する。
【００４２】
これに対して撮像結果を取得してメモリに保持した状態で、ユーザーが撮像結果の削除を指示すると、中央処理ユニット２は、このメモリに保持したＲＡＷデータＤＲを削除し、また表示部における撮像結果の表示を中止する。
【００４３】
またユーザーが動作モードを切り換え、記録媒体９に記録された撮像結果の再生を指示すると、中央処理ユニット２は、インターフェース８を介して記録媒体９をアクセスし、記録媒体９に記録されたファイルを記録時に設定したファイル名等によるメニューで一覧表示する。またこのメニューをユーザーが選択すると、対応するファイルを記録媒体９から再生して表示部で表示する。この処理において、中央処理ユニット２は、ユーザーが再生を指示したファイルがＥＸＩＦファイルの場合、このＥＸＩＦファイルに設定されたサムネイル画像により撮像結果を表示する。またユーザーが再生を指示したファイルがＲＡＷデータファイルの場合、対応するＲＡＷデータファイルの先頭側に設けられたデータ圧縮されたサムネイル画像データにより撮像結果を表示する。
【００４４】
図３は、この記録媒体９に記録された撮像結果を処理するコンピュータを示すブロック図である。このコンピュータ２１において、インターフェース（ＩＦ）２２は、中央処理ユニット２３の制御により記録媒体９に記録されたデータを再生してバスＢＵＳに出力し、またバスＢＵＳに出力されるデータを記録媒体９に記録する。
【００４５】
表示部２４は、中央処理ユニット２３の制御により各種の画像を表示し、インターフェース（ＩＦ）２５は、中央処理ユニット２３の制御により印刷に必要な各種のデータをプリンタ２６に出力する。入力部２７は、キーボード、マウス等により形成され、ユーザーの操作を中央処理ユニット２３に通知する。ハードディスク装置（ＨＤＤ）２８は、中央処理ユニット２３の各種処理のプログラム、データを記録して保持する。
【００４６】
ここでこのハードディスク装置２８に記録されたプログラムは、光ディスク、磁気ディスク、メモリカード等の記録媒体に記録されて提供されるものの、このような記録媒体による提供に代えて、事前のインストールにより、又はインターネット等のネットワークを介したダウンロードにより提供してもよい。
【００４７】
中央処理ユニット２３は、このコンピュータ２１の演算処理部であり、リードオンリメモリ（ＲＯＭ）２９の記録に従ってランダムアクセスメモリ（ＲＡＭ）３０にワークエリアを確保してハードディスク装置２８に記録されたオペレーションシステムを起動する。またこのオペレーションシステムにおけるユーザーの操作に応動して、記録媒体９に記録された撮像結果をユーザーが指示したフォルダにダウンロードする。
【００４８】
また入力部２７を介して検出されるユーザーの指示に従って、ハードディスク装置２８に記録された撮像結果を編集処理するプログラム（以下、編集プログラムと呼ぶ）を起動する。なお以下の説明においては、記録媒体９に上述のＲＡＷデータファイルのみが記録されているとの前提により、中央処理ユニット２３の一連の処理を説明する。
【００４９】
この編集プログラムの起動により中央処理ユニット２３は、図４に示す編集プログラムのメイン画面Ｍ１を表示する。またこのメイン画面Ｍ１に表示したメニューの選択により、プルダウンメニューによるサブメニューを表示し、ユーザーによるサブメニューの選択を受け付ける。
【００５０】
中央処理ユニット２３は、このサブメニューの選択によりユーザーがフォルダ又は記録媒体９に記録された撮像結果の一覧表示を指示すると、ユーザーが指示したフォルダ又は記録媒体９に記録されたファイルの情報をこれらフォルダ又は記録媒体９のファイル管理システムから取得し、この編集プログラムで処理可能なファイルを選択する。またディフォルトで、この選択したファイルのサムネイル画像をサブウインドウＭ２で一覧表示する。
【００５１】
ここで図５（Ａ）は、ディフォルトの一覧表示のサブウインドウＭ２を示す平面図である。このサブウインドウＭ２は、最上段にタイトルバーが表示され、続いてファイルの保存場所が表示される。また続いて表示をスクロール操作するスライドボタン等が表示され、さらにサムネイル画像が順次表示される。中央処理ユニット２３は、このサムネイル画像の表示を図６に示す処理手順で実行する。
【００５２】
すなわち中央処理ユニット２３は、ユーザーが一覧表示を指示すると、ステップＳＰ１からステップＳＰ２に移り、記録媒体９又はフォルダのアクセスにより対応するファイルのデータを取得する。この処理において、中央処理ユニット２３は、順次取得されるファイルデータの監視により、ＲＡＷデータの間引きによるサムネイル画像データＤＴと、ＲＡＷデータの画像処理に係る情報とを取得すると、このファイルの残るデータの取得を中止する。具体的に、中央処理ユニット２３は、ＲＡＷデータファイルの先頭フィールドＦ１からサムネイル画像データＤＴのフィールドまでのデータを取得すると、残りのフィールドのデータの取得を中止する。
【００５３】
続いて中央処理ユニット２３は、ステップＳＰ３に移り、取得したデータのＩＦＤを解析し、さらに取得したデータをデータ展開して振り分ける。このデータ展開して振り分ける処理により、中央処理ユニット２３は、取得したデータからサムネイル画像データＤＴを取得し、またこのサムネイル画像データＤＴの再生に必要な情報を取得する。またユーザーの事前の設定に応じて撮影時の撮影情報ＤＳ０、編集処理の撮影情報ＤＳ１〜ＤＳ３を取得する。
【００５４】
続いて中央処理ユニット２３は、ステップＳＰ４に移り、ステップＳＰ３で取得したサムネイル画像データＤＴを、撮影時の撮影情報ＤＳ０に設定された画質補正情報で画質補正し、撮影時に表示した画質のサムネイル画像データを生成する。具体的に中央処理ユニット２３は、この撮影情報ＤＳ０に設定された画質補正情報に基づいて、メイン画像データの撮影時における画像処理回路６の設定を再現し、この再現された設定でサムネイル画像データＤＴをガンマ補正、ホワイトバランス調整し、さらに階調、色相、周波数特性等を調整する。中央処理ユニット２３は、このようにして画質補正したサムネイル画像データＤＴの画像を、表示用の画像メモリに記録する。
【００５５】
続いて中央処理ユニット２３は、ステップＳＰ５に移り、サブウインドウＭ２に表示する枚数分、サムネイル画像の取得が完了したか否か判断し、ここで否定結果が得られると、ステップＳＰ２に戻り、続くファイルの処理を開始する。これに対してステップＳＰ５で肯定結果が得られると、中央処理ユニット２３は、ステップＳＰ６に移り、画像メモリに記録した画像データでサブウインドウＭ２を表示する。中央処理ユニット２３は、この図６におけるステップＳＰ２〜ステップＳＰ６の処理により記録媒体９に記録された撮像結果、このコンピュータ２１にダウンロードした撮像結果をサムネイル画像で一覧表示し、ステップＳＰ７に移ってこの処理手順を終了する。
【００５６】
ここでこの図６の処理は、処理対象のＲＡＷデータファイルに、編集処理の撮影情報ＤＳ１、……が記録されていない場合の処理であり、この場合、中央処理ユニット２３は、撮影時の設定による撮影情報ＤＳ０によりサムネイル画像データＤＴを画像処理して撮影時に取得した撮像結果を一覧表示する。
【００５７】
これに対して編集処理の撮影情報ＤＳ１、……が記録されている場合、中央処理ユニット２３は、ステップＳＰ４において、これら編集処理の撮影情報ＤＳ１、……に設定された履歴の情報に基づいて、最も記録の時点が新しい撮影情報ＤＳ１、……を選択する。また撮影時の撮影情報ＤＳ０に代えて、この選択した編集処理の撮影情報ＤＳ１、……を用いてサムネイル画像データＤＴを処理し、編集処理した撮像結果をサムネイル画像で表示する。
【００５８】
なおこのような最も履歴の新しい撮影情報ＤＳ１、……を選択してサムネイル画像データＤＴを処理する代りに、撮影時の設定による撮影情報ＤＳ０、ＲＡＷデータファイルに記録された撮影情報ＤＳ１、……のそれぞれでサムネイル画像データＤＴを画像処理して、１つのＲＡＷデータファイルに対して複数のサムネイル画像を表示するようにしてもよい。またユーザーの設定、指示に従って、サムネイル画像データの処理に使用する撮影情報ＤＳ０、……を選択するようにしてもよい。
【００５９】
さらにこの一覧表示の処理において、中央処理ユニット２３は、何らユーザーが一覧表示の形態を指示していない場合、図５（Ａ）に示すようにサムネイル画像のみにより撮像結果を一覧表示する。
【００６０】
これに対して事前の設定により、又は一覧表示の表示形態の切り換えにより、ユーザーがサムネイル画像とヒストグラムの一覧表示を指示した場合、図５（Ｂ）に示すように、各撮像結果における色信号の階調分布をサムネイル画像から検出し、この階調分布のヒストグラムをサムネイル画像と共に表示する。
【００６１】
これに対して一覧表示の表示形態の切り換えにより、サムネイル画像と部分拡大画像との一覧表示をユーザーが指示した場合、中央処理ユニット２３は、さらに図７の処理手順を実行し、図５（Ａ）に示すサムネイル画像のみによる一覧表示を、図５（Ｃ）に示すサムネイルナイル画像と対応する撮像結果の部分的な拡大画像との一覧表示に切り換える。
【００６２】
すなわちこの図７の処理手順において、中央処理ユニット２３は、ステップＳＰ１１からステップＳＰ１２に移り、記録媒体９又はフォルダのアクセスによりそれまで一覧表示しているサムネイル画像に対応するファイルのデータを取得する。続いて中央処理ユニット２３は、ステップＳＰ１３に移り、取得したデータのＩＦＤを解析し、さらに取得したデータをデータ展開して振り分ける。
【００６３】
このデータ展開して振り分ける処理により、中央処理ユニット２３は、切り出し用基準情報ＤＳ０Ｂ、撮影時の撮影情報ＤＳ０を取得する。なお中央処理ユニット２３は、ディフォルトでは、撮影時における切り出し用基準情報ＤＳ０Ｂ、撮影情報ＤＳ０を取得する。しかしながら現在表示している対応するサムネイル画像が、編集処理時の撮影情報ＤＳ１、ＤＳ２、……を用いて画像処理している場合にあって、このサムネイル画像の画像処理に使用する撮影情報ＤＳ１、ＤＳ２、……に対応する編集処理時に設定した切り出し用基準情報がＲＡＷデータファイルに存在する場合、この対応する編集処理時に設定した切り出し用基準情報を取得する。
【００６４】
続いて中央処理ユニット２３は、ステップＳＰ１４に移り、ここでステップＳＰ１３で取得した切り出し用基準情報に基づいてメイン画像から切り出す領域を設定する。ここで中央処理ユニット２３は、ユーザーの指定に基づいて、切り出し用基準情報に設定された複数のパラメータから切り出しに使用するパラメータを選択する。またこの選択したパラメータを用いてＲＡＷデータ画像から切り出す領域を決定する。
【００６５】
具体的に、ディフォルトの状態で、中央処理ユニット２３は、撮影時の合焦位置情報に基づいて、ＲＡＷデータ画像の合焦位置を中心にした所定範囲を切り出す領域に設定する。なおこの所定範囲は、ユーザー設定としてもよく、固定値としてもよい。またユーザーが背景の拡大表示を指示している場合、背景位置情報に基づいて、例えば背景とされた領域の中心位置を中心にした所定範囲を切り出す領域に設定する。またユーザーが顔の拡大表示を指示している場合、顔位置情報に基づいて、顔が撮影されているとされた領域の中心位置を中心にした所定範囲を切り出す領域に設定する。またユーザーが逆光箇所の拡大表示を指示している場合、逆光位置情報に基づいて、逆光とされた領域の中心位置を中心にした所定範囲を切り出す領域に設定する。またユーザーが飽和箇所の拡大表示を指示している場合、飽和位置情報に基づいて、飽和しているとされた領域の中心位置を中心にした所定範囲を切り出す領域に設定する。またユーザーが画面中央の拡大表示を指示している場合、光軸中心位置情報に基づいて、光軸位置を中心にした所定範囲を切り出す領域に設定する。
【００６６】
続いて中央処理ユニット２３は、ステップＳＰ１５に移り、ステップＳＰ１４で設定した切り出す領域のＲＡＷデータを選択的に取得し、この切り出す領域でＲＡＷデータ画像を切り出す。また続くステップＳＰ１６でサムネイル画像データの一覧表示に対応するように、この切り出したＲＡＷデータを画質補正する。従って撮影時、さらには後述する編集処理において、ユーザーがノイズリダクション処理を指定している場合、この画質補正の際に中央処理ユニット２３は、撮影時の処理、編集処理に対応するように、ノイズリダクション処理を実行し、拡大表示用の画像データを生成する。なおここでこのノイズリダクション処理は、ユーザーの指示により、例えば単にランダムノイズを除去する処理、エッジ周辺に発生する低周波の偽信号によるノイズ除去処理等、種々のノイズ除去処理が適用される。
【００６７】
中央処理ユニット２３は、続くステップＳＰ１７でサブウインドウＭ２に表示する枚数分、画像データの処理を完了したか否か判断し、ここで否定結果が得られると、ステップＳＰ１２に戻り、続くファイルの処理を開始する。これに対してステップＳＰ１７で肯定結果が得られると、中央処理ユニット２３は、ステップＳＰ１８に移り、画像メモリに記録した拡大表示用の画像データでサブウインドウＭ２の表示を切り換えた後、ステップＳＰ１９に移ってこの処理手順を終了する。なおこの部分拡大用の画像データは、サムネイル画像データとは別のウインドウで表示するようにしてもよい。
【００６８】
これに対してサムネイル画像を一覧表示した状態で、ユーザーが合焦位置と背景との部分拡大画像の一覧表示を指示した場合、中央処理ユニット２３は、さらに図８の処理手順を実行し、図９に示すように、別途、サブウインドウＭ２−１を表示する。またサブウインドウＭ２に表示したサムネイル画像に対応するように、このサブウインドウＭ２−１に各撮像結果の合焦位置と背景との部分的な拡大画像を表示する。
【００６９】
すなわち中央処理ユニット２３は、この図８の処理手順において、ステップＳＰ２１からステップＳＰ２２に移り、記録媒体９又はフォルダのアクセスによりそれまで一覧表示しているサムネイル画像に対応するファイルのデータを取得する。続いて中央処理ユニット２３は、ステップＳＰ２３に移り、取得したデータのＩＦＤを解析し、さらに取得したデータをデータ展開して振り分ける。このデータ展開して振り分ける処理により、中央処理ユニット２３は、切り出し用基準情報ＤＳ０Ｂ、撮影時の撮影情報ＤＳ０を取得する。また中央処理ユニット２３は、切り出し用基準情報ＤＳ０Ｂから合焦位置の情報、背景位置の情報を取得する。
【００７０】
続いて中央処理ユニット２３は、ステップＳＰ２４−１、ＳＰ２４−２に移り、ここでそれぞれステップＳＰ２３で取得した合焦位置の情報、背景位置の情報に基づいて、メイン画像から切り出す合焦位置の領域、背景位置の領域を設定する。
【００７１】
続いて中央処理ユニット２３は、ステップＳＰ２５−１、ＳＰ２５−２に移り、ステップＳＰ２４−１、ＳＰ２４−２で設定した切り出す領域で、それぞれＲＡＷデータを切り出す。また続くステップＳＰ２６−１、ＳＰ２５−２でサムネイル画像データの一覧表示に対応するように、切り出したＲＡＷデータを画質補正する。従って撮影時、さらには後述する編集処理において、ユーザーがノイズリダクション処理を指定している場合、この画質補正の際に中央処理ユニット２３は、撮影時の処理、編集処理に対応するように、ノイズリダクション処理を実行し、それぞれ合焦位置、背景の拡大表示用の画像データを生成する。
【００７２】
中央処理ユニット２３は、続くステップＳＰ２７でサブウインドウＭ２−１に表示する枚数分、拡大表示画像の作成を完了したか否か判断し、ここで否定結果が得られると、ステップＳＰ２２に戻り、続くファイルの処理を開始する。これに対してステップＳＰ２７で肯定結果が得られると、中央処理ユニット２３は、ステップＳＰ２８に移り、画像メモリに記録した拡大表示用の画像データでサブウインドウＭ２−１を表示した後、ステップＳＰ２９に移ってこの処理手順を終了する。なおこの部分拡大用の画像データは、サムネイル画像データを表示するウインドウＭ２を拡大してサムネイル画像と並べて表示するようにしてもよい。
【００７３】
これに対して中央処理ユニット２３は、サブウインドウＭ２におけるサムネイル画像の一覧表示でユーザーがサムネイル画像を選択すると、メイン画面Ｍ１にサブウインドウＭ３を表示し（図４）、このサブウインドウＭ３に対応する撮像結果を拡大表示する。またこのサブウインドウＭ３において、ユーザーがサブウインドウＭ３の大きさを可変すると、このユーザーの操作に応動してサブウインドウＭ３の大きさを可変して対応する撮像結果を表示する。またこのサブウインドウＭ３で全画面表示が指示されると、図１０に示すように、対応する撮像結果をメイン画面Ｍ１に全画面表示する。中央処理ユニット２３は、この撮像結果の全画面表示をサムネイル画像を拡大表示して実行し、ユーザーの使い勝手を向上する。
【００７４】
図１１は、この撮像結果の全画面表示に関する中央処理ユニット２３の処理手順を示すフローチャートである。中央処理ユニット２３は、この処理手順を開始すると、ステップＳＰ４１からステップＳＰ４２に移り、サムネイル画像データによるサムネイル画像の大きさと、サブウインドウＭ３、メイン画面Ｍ１における表示領域の大きさとの比較により、サブウインドウＭ３、メイン画面Ｍ１にサムネイル画像データＤＴによる画像を表示する際の拡大率を計算する。
【００７５】
また続くステップＳＰ４３において、このステップＳＰ４２で計算した拡大率に応じてサムネイル画像データを前置補間し、一覧表示に使用するサムネイル画像を拡大して画像メモリに展開する。また続くステップＳＰ４４において、この画像メモリに展開した拡大表示用のサムネイル画像をメイン画面Ｍ１に、又はサブウインドウＭ３に表示する。このステップＳＰ４２〜ステップＳＰ４４の処理により中央処理ユニット２３は、始めにサムネイル画像データによる低解像度の撮像結果をこれらメイン画面Ｍ１又はサブウインドウＭ３に拡大表示する。
【００７６】
このようにしてサムネイル画像を拡大表示すると、中央処理ユニット２３は、ステップＳＰ４５に移り、ここで拡大率が一定値以上か否か判断することにより、このようにして拡大表示したサムネイル画像をＲＡＷデータＤＲの画像に置き換えて、画質の向上が図れるか否か判断する。ここで否定結果が得られると、中央処理ユニット２３は、ステップＳＰ４５からステップＳＰ４６に移ってこの処理手順を終了する。
【００７７】
これに対してステップＳＰ４５で肯定結果が得られると、中央処理ユニット２３は、ステップＳＰ４５からステップＳＰ４７に移る。ここで中央処理ユニット２３は、この拡大表示に供しているサムネイル画像のＲＡＷデータファイルからＲＡＷデータＤＲを取得する。また続くステップＳＰ４８において、拡大表示中のサムネイル画像の撮影情報で、このＲＡＷデータＤＲを画質補正し、また表示する領域の大きさに対応するように、解像度を変換する。
【００７８】
またステップＳＰ４９において、このステップＳＰ４８で処理したＲＡＷデータＤＲの画像を、拡大表示中のサムネイル画像と置き換えて表示し、ステップＳＰ４６に移ってこの処理手順を終了する。
【００７９】
中央処理ユニット２３は、ステップＳＰ４４によりサムネイル画像を拡大表示した後の、ステップＳＰ４５〜ステップＳＰ４９の処理については、いわゆるバックグラウンドにより空き時間を利用して実行する。このステップＳＰ４４における拡大表示により中央処理ユニット２３は、ユーザーの操作に応動して撮像結果を短時間で表示してユーザーの使い勝手を向上する。またこのサムネイル画像の拡大表示により撮像結果を表示した後に、ステップＳＰ４５〜ステップＳＰ４９の処理をバックグラウンドで実行することによりユーザーの各種処理の妨げとならないようにして、この拡大表示した撮像結果の画質を向上させる。なお中央処理ユニット２３は、ステップＳＰ４５〜ステップＳＰ４９の処理を実行している際に、ユーザーがこの撮像結果の表示の終了を指示すると、即座にこの図１１に示す処理手順を終了する。
【００８０】
これに対してサムネイル画像の一覧表示において、ユーザーがサムネイル画像を選択して撮影情報の表示を指示すると、図１２に示すように、サブウインドウＭ４を表示し、選択されたサムネイル画像の画質補正に使用した撮影情報ＤＳ０〜ＤＳ３を表示する。ここでこのサブウインドウＭ４は、右側に、ガンマ特性が特性曲線により表示され、左側に、撮影情報の各項目が表示される。この実施例ではこの各項目に、ホワイトバランス調整の調整モード、ホワイトバランス調整の微調整量、演色性の調整量、彩度の調整量、コントラストの調整量等が設けられる。なおこれらの調整量は、電子スチルカメラ１における設定操作のユーザーインターフェースに対応する操作量で表示される。従って上述のＲＡＷデータファイルの各撮影情報ＤＳ０〜ＤＳ３には、このサブウインドウＭ４に表示されるこれらの情報が割り当てられていることになる。
【００８１】
またこのとき図１３に示すように、サブウインドウＭ５を表示し、このユーザーの選択したサムネイル画像のＲＡＷデータファイルについて、このＲＡＷデータファイルに設定された撮影情報ＤＳ０〜ＤＳ３の種類を併せて表示する。ここで図１３に示す例において、撮影時に設定は、撮影時の撮影情報ＤＳ０を示す。また履歴１〜履歴３は、編集処理の撮影情報ＤＳ１〜ＤＳ３をそれぞれ示し、このコンピュータ２１における後述する編集処理で記録された撮影情報である。また明るめに補正は、同様に、コンピュータ２１における編集処理で、ユーザーがタイトルを付けて記録した撮影情報である。
【００８２】
これらサブウンドウＭ４、又はサブウインドウＭ４及びＭ５を表示した状態で、ユーザーが撮影情報の表示の切り換えを指示すると、中央処理ユニット２３は、サブウンドウＭ４、又はサブウインドウＭ４及びＭ５の表示を、対応する切り出し用基準情報の表示に切り換える。なおこの切り出し用基準情報の表示は、例えばサムネイル画像を表示し、このサムネイル画像上で対応する基準情報による領域を表示して実行される。
【００８３】
これに対してサムネイル画像の一覧表示でユーザーがサムネイル画像を選択して編集を指示すると、又はメイン画面Ｍ１、サブウインドウＭ３で表示した撮像結果の編集をユーザーが指示すると、中央処理ユニット２３は、図１３に示すように、編集操作用のサブウインドウＭ６を表示する。
【００８４】
ここでこの編集操作用のサブウインドウＭ６は、画質補正項目を選択し、画質補正量を設定するウインドウである。編集操作用のサブウインドウＭ６は、タブにより表示を切り換えて各画質補正項目を選択できるように形成される。またこのサブウンインドウＭ６は、調整項目毎に、電子スチルカメラ１における設定操作のユーザーインターフェースに対応する操作量で、調整量を設定できるように形成される。具体的にサブウインドウＭ６は、撮影時の設定を基準にして、例えば色温度、演色性、露出補正、シャープネス、ノイズリダクションの調整用ボタンが、それぞれ調整量と共に表示される。
【００８５】
また中央処理ユニット２３は、同時に、サブウインドウＭ７でユーザーの選択した撮像結果の全画面をプレビュー表示し、またユーザーの指示に応動して、このプレビュー画面に表示した撮像結果の各種解析結果をサブウインドウＭ８で表示する。なおここでこの図１３の例における解析結果の表示は、図５（Ｂ）について上述した各色信号の階調分布によるヒストグラム表示である。
【００８６】
中央処理ユニット２３は、このプレビュー画面の表示、解析結果の表示をサムネイル画像データにより実行する。また中央処理ユニット２３は、サブウインドウＭ６におけるタブの選択により、このサブウインドウＭ６の表示を切り換えて各調整項目の設定を受け付ける。このとき中央処理ユニット２３は、ユーザーの調整量の可変に対応するように、プレビュー画面の画質を可変する。
【００８７】
すなわち中央処理ユニット２３は、サブウインドウＭ６でユーザーが調整量を可変すると、プレビュー画面の表示中のサムネイル画像を画質補正した撮影情報をこの調整量の可変に対応するように、補正する。またこの補正した撮影情報でサムネイル画像データを画質補正し、その処理結果による画像をプレビュー表示する。またこのようにして画質補正した画像データの処理により解析結果の表示に必要な情報を取得し、この取得した情報でサブウインドウＭ８の表示を切り換える。
【００８８】
中央処理ユニット２３は、このようにユーザーの操作に応動してプレビューの処理を実行するようにして、サブウインドウＭ６に表示した画質調整のチェックボックスをユーザーがチェックしている場合、サブウインドウＭ６によるプレビュー画面の画質の変更に対応するように、プレビュー画面における画質の変更と同時に、サブウインドウＭ３における撮像結果の表示の画質、メイン画面Ｍ１における撮像結果の全画面表示における画質を切り換える。またこのときユーザーがプレビュー画面の特定領域の拡大表示を指示すると、図１４に示すように、プレビュー画面に枠Ｗを表示してこの特定領域を示し、破線により関係を示すように、サブウインドウＭ３における撮像結果の表示、又はメイン画面Ｍ１における撮像結果の全画面表示において、この特定領域を拡大表示する。
【００８９】
中央処理ユニット２３は、これらの場合も、始めに、サムネイル画像により編集処理した撮像結果をサブウインドウＭ３又はメイン画面Ｍ１に表示することにより、ユーザーによる操作に応動して編集処理した撮影結果を短時間で表示し、ユーザーの使い勝手を向上する。またサムネイル画像の拡大表示により編集処理した撮像結果を表示した後に、ＲＡＷデータを編集処理して表示を置き換えることにより、ユーザーによる各種処理の妨げとならないようにして、この表示した撮像結果の画質を向上させる。
【００９０】
具体的に、図１５は、この編集処理における中央処理ユニット２３の処理手順を示すフローチャートである。中央処理ユニット２３は、サブウインドウＭ６でユーザーが調整量を操作すると、この処理手順を開始してステップＳＰ５１からステップＳＰ５２に移る。ここで中央処理ユニット２３は、このサブウインドウＭ６の調整画面に設定された調整量に応じて撮影時の撮影情報ＤＳ０を補正して編集処理の撮影情報を生成する。またこの編集処理の撮影情報でサムネイル画像データＤＴを編集処理し、サムネイル画像の画質を調整する。中央処理ユニット２３は、続くステップＳＰ５３でこの編集処理したサムネイル画像でプレビュー画像の表示を切り換える。
【００９１】
中央処理ユニット２３は、続くステップＳＰ５４において、サブウインドウＭ３又はメイン画面Ｍ１への表示に供する拡大率を計算する。またこの拡大率に応じた前置補間により、編集処理したサムネイル画像をサブウインドウＭ３又はメイン画面Ｍ１に拡大表示する。
【００９２】
続いて中央処理ユニット２３は、ステップＳＰ５５に移る。ここで中央処理ユニット２３は、ステップＳＰ５４で計算した拡大率が一定値以上か否か判断することにより、拡大表示したサムネイル画像をＲＡＷデータＤＲの画像に置き換えて、画質の向上が図れるか否か判断する。ここで否定結果が得られると、中央処理ユニット２３は、ステップＳＰ５５からステップＳＰ５６に移ってこの処理手順を終了する。
【００９３】
これに対してステップＳＰ５５で肯定結果が得られると、中央処理ユニット２３は、ステップＳＰ５５からステップＳＰ５７に移る。ここで中央処理ユニット２３は、この拡大表示中のサムネイル画像データＤＴのＲＡＷデータファイルからＲＡＷデータＤＲを取得する。また続くステップＳＰ５８において、拡大表示中のサムネイル画像の撮影情報で、このＲＡＷデータＤＲを画質補正してＲＡＷデータＤＲを編集処理し、また表示する領域の大きさに対応するように解像度を変換する。
【００９４】
またステップＳＰ５９において、このステップＳＰ５８で処理したＲＡＷデータＤＲによる画像で、サブウインドウＭ３又はメイン画面Ｍ１の表示を置き換え、ステップＳＰ５５に移ってこの処理手順を終了する。
【００９５】
中央処理ユニット２３は、ステップＳＰ５４によりサムネイル画像を拡大表示した後の、ステップＳＰ５５〜ステップＳＰ５９の処理については、いわゆるバックグラウンドにより空き時間を利用して実行する。また中央処理ユニット２３は、ステップＳＰ５５〜ステップＳＰ５９の処理を実行している際に、ユーザーが調整量を変更すると、即座に実行中のこの図１５に示す処理手順を終了し、改めて変更された調整量でこの処理手順を開始する。
【００９６】
中央処理ユニット２３は、サブウインドウＭ６に設けられた撮影時の設定に戻すボタンをユーザーが選択すると、編集用のサブウインドウＭ５の設定をＲＡＷデータファイルに記録された撮影時の撮影情報ＤＳ０の設定に切り換える。また中央処理ユニット２３は、編集用のサブウインドウＭ６に設けられた設定の保存のボタンをユーザーが選択すると、この編集用のサブウインドウＭ６の設定により編集処理の撮影情報を生成し、この編集処理の撮影情報を対応するＲＡＷデータファイルに記録する。
【００９７】
従ってこのＲＡＷデータファイルは、再びこの編集プログラムにより表示する場合には、この新たに追加記録した編集処理の撮影情報でサムネイル画像が処理されて一覧表示され、さらには編集処理に係る一連の処理が実行される。
【００９８】
ところでこの図１５の処理による調整項目が、シャープネス、ノイズリダクション処理等の、撮像結果の高域成分に変化を与える調整項目の場合、結局、ユーザーは、メイン画面Ｍ１、サブウインドウＭ３の拡大表示を目視で確認して撮像結果の細部を確認することになる。従ってユーザーの選択した調整項目が、このような細部の確認を要する撮像結果の高域成分を調整する処理の場合、中央処理ユニット２３は、図１５の処理手順に代えて、図１６の処理手順を実行し、メイン画面Ｍ１、サブウインドウＭ３を表示し、またこれらメイン画面Ｍ１、サブウインドウＭ３の表示を切り換える。
【００９９】
すなわち中央処理ユニット２３は、この処理手順を開始すると、ステップＳＰ６１からステップＳＰ６２に移り、記録媒体９又はフォルダのアクセスによりユーザーの選択したサムネイル画像に対応するファイルのデータを取得する。続いて中央処理ユニット２３は、ステップＳＰ６３に移り、取得したデータのＩＦＤを解析し、さらに取得したデータをデータ展開して振り分ける。このデータ展開して振り分ける処理により、中央処理ユニット２３は、切り出し用基準情報ＤＳ０Ｂ、撮影時の撮影情報ＤＳ０を取得する。なおこの例では切り出し用基準情報ＤＳ０Ｂのうちの合焦位置情報を取得する。
【０１００】
続いて中央処理ユニット２３は、ステップＳＰ６４に移り、ステップＳＰ６３で取得した切り出し用基準情報の合焦位置情報に基づいてメイン画像から切り出す領域を設定する。続くステップＳＰ６５において、中央処理ユニット２３は、ステップＳＰ６４で決定した領域のＲＡＷデータを選択的に取得し、ユーザーの選択したサムネイル画像に対応するようにこの取得したＲＡＷデータを画質補正する。
【０１０１】
続いて中央処理ユニット２３は、ステップＳＰ６７において、この画像データによる拡大画像をサブウインドウＭ３、又はメイン画面Ｍ１に表示し、またこの表示に対応するようにプレビュー画像に枠Ｗを表示する。
【０１０２】
続いて中央処理ユニット２３は、ステップＳＰ６８に移り、改めてこの部分を拡大表示したＲＡＷデータを全画面分取得し、このＲＡＷデータを画質補正する。また続くステップＳＰ６９において、この画質補正したＲＡＷデータを画像メモリに格納する。続いて中央処理ユニット２３は、ステップＳＰ７０に移り、ここでユーザーが枠Ｗの位置を変化させたか否か判断し、ここで否定結果が得られると、ステップＳＰ７０を繰り返す。これに対してステップＳＰ７０で肯定結果が得られると、ステップＳＰ７０からステップＳＰ７１に移り、画像メモリに格納した全画面のＲＡＷデータを用いて、サブウンドウＭ３、又はメイン画面Ｍ１に表示の部分拡大画像をスクロールさせ、ステップＳＰ７０に戻る。
【０１０３】
中央処理ユニット２３は、ユーザーがサブウインドウＭ６を操作してシャープネス、ノイズリダクションの調整量を可変すると、この調整量の可変に対応するように、切り出した拡大表示の画質を補正する。このとき中央処理ユニット２３は、ユーザーが比較対象の表示を指示すると、図１７の処理手順と同様の処理を繰り返し、例えば撮影時の画像、背景部分の画像等をサブウインドウで表示しながら、切り出した拡大画像の画質を補正する。
【０１０４】
すなわち図１７は、ユーザーが撮影時の画像を比較対象に設定した場合の処理手順を示すフローチャートである。中央処理ユニット２３は、この処理手順を開始すると、ステップＳＰ７１からステップＳＰ７２に移り、ユーザーが調整量を可変するのを待機する。またユーザーが調整量を可変すると、ステップＳＰ７３に移り、対応するＲＡＷデータファイルをアクセスしてデータを取得する。また続くステップＳＰ７４において、取得したデータを解析、振り分ける。
【０１０５】
続いて中央処理ユニット２３は、ステップＳＰ７５に移り、合焦位置情報から切り出す領域を決定し、続くステップＳＰ７６でＲＡＷデータを切り出す。また続くステップＳＰ７７−１、ＳＰ７７−２で、それぞれ撮影時の画質と、調整量を可変した後の画質に切り出した領域のＲＡＷデータを画質補正する。また、続くステップＳＰ７８−１、ＳＰ７８−２でそれぞれ画質補正した画像を対応するサブウインドウで表示し、ステップＳＰ７９に移ってこの処理手順を終了する。
【０１０６】
これに対して図１８は、比較対象としてユーザーが背景を選択した場合の処理手順を示すフローチャートである。この場合、中央処理ユニット２３は、この処理手順を開始すると、ステップＳＰ８１からステップＳＰ８２に移り、ユーザーが調整量を可変するのを待機する。またユーザーが調整量を可変すると、ステップＳＰ８３に移り、対応するＲＡＷデータファイルをアクセスしてデータを取得する。また続くステップＳＰ８４において、取得したデータを解析、振り分ける。また続くステップＳＰ８５−１、ＳＰ８５−２において、それぞれ合焦位置情報、背景位置情報から切り出す領域を決定し、続くステップＳＰ８６−１、ＳＰ８６−２において、それぞれこの決定した切り出す領域でＲＡＷデータを切り出す。
【０１０７】
また続くステップＳＰ８７−１、ＳＰ８７−２において、それぞれ切り出したＲＡＷデータを調整量を可変した後の画質に画質補正し、続くステップＳＰ８８−１、ＳＰ８８−２でそれぞれ画質補正した画像を対応するサブウインドウで表示する。また続くステップＳＰ８９でこの処理手順を終了する。
【０１０８】
なお細部の確認のためにＲＡＷデータの画像を拡大表示する場合にも、初めにサムネイル画像データを前置補間して対応する部位の画像をサムネイル画像データで表示した後、ＲＡＷデータの拡大画像で置き換えるようにしてもよい。
【０１０９】
（２）実施例の動作
以上の構成において、この実施例のシステムに係る電子スチルカメラ１では（図１）、ユーザーが設定したシャッター速度、絞り等により図示しない光学系で撮像素子３の撮像面に光学像が形成され、ユーザーによる操作子の操作によりこの光学像の撮像結果が撮像素子３から出力されて前処理回路４、光学補正回路５で処理され、撮像結果の画質補正前の画像データであるＲＡＷデータＤＲが生成される。またこのＲＡＷデータＤＲが画像処理回路６で画質補正されて表示部で表示される。
【０１１０】
この電子スチルカメラ１では、この表示部に表示された撮像結果の確認により、ユーザーが不必要と判断した撮像結果については、何ら保存されることなく破棄されるのに対し、ユーザーが必要と判断した撮像結果については、ユーザーにより指示された保存形態で記録媒体９に記録される。すなわちこの場合、ユーザーがＥＸＩＦのファイルでの記録を指示している場合、画質補正済みの画像データがエンコーダ７でデータ圧縮されて、画質補正済みのサムネイル画像データ、撮影情報と共に、ＥＸＩＦのファイルにまとめられ、このＥＸＩＦのファイルが記録媒体９に記録される。これに対してユーザーがＲＡＷデータＤＲでの撮像結果の記録を指示している場合、ＲＡＷデータＤＲ、このＲＡＷデータＤＲを間引きして作成されたサムネイル画像データＤＴ、画像処理回路６における画質補正処理を特定する画質補正情報を有する撮影時の撮影情報ＤＳ０等によりＲＡＷデータファイルが作成され、このＲＡＷデータファイルが記録媒体９に記録される。
【０１１１】
従ってこのＲＡＷデータファイルは、ＲＡＷデータＤＲにより撮像結果が記録され、このＲＡＷデータＤＲの撮像結果をサムネイル画像でユーザーに紹介する場合には、サムネイル画像データＤＴを画質補正情報で画質補正して、撮影時、ユーザーが確認した画質の撮像結果をサムネイル画像で表示することができる。ここでこのサムネイル画像データを画質補正情報で画質補正して表示する処理は、ＲＡＷデータＤＲからサムネイル画像データを生成しなくてもよいことから、短時間で表示して撮像結果を確認することができ、ユーザーの使い勝手を従来に比して一段と向上することができる。
【０１１２】
実際上、ＲＡＷデータは、大容量であることから、記録媒体からロードするだけでも、結構な時間を要する。しかしながらこの実施例によれば、ファイル先頭からＲＡＷデータの記録開始位置までの、ＲＡＷデータに比して格段的に少ないデータ量をロードして処理すれば良いことから、従来に比して極めて短時間で撮像結果を表示することができ、ユーザーの使い勝手を向上することができる。
【０１１３】
また電子スチルカメラ１では、このＲＡＷデータファイル（図２）のファイル先頭側がＥＸＩＦファイルと同様に、メイン画像データの情報、ＪＰＥＧによりデータ圧縮した画質補正済みのサムネイル画像データ等により形成され、末尾にＲＡＷデータＤＲが割り当てられる。従ってこの電子スチルカメラ１では、このＲＡＷデータファイルの途中に記録されたフィールドを処理困難な各種のアプリケーションプログラムによっても、ＲＡＷデータＤＲについては処理可能に、またＪＰＥＧによりデータ圧縮した画質補正済みのサムネイル画像データについては、表示可能とすることができ、このＲＡＷデータファイルの汎用性を高めることができる。なおＥＸＩＦファイルでは、データ圧縮した画質補正済みのサムネイル画像データに代えて、データ圧縮する前のサムネイル画像データを適用することも可能であることから、データ圧縮した画質補正済みのサムネイル画像データに代えて、データ圧縮する前のサムネイル画像データを適用するようにしてもよい。
【０１１４】
またこの電子スチルカメラ１では、このＲＡＷデータファイルが、撮影時の撮影情報ＤＳ０に対応する編集処理の撮影情報ＤＳ１〜ＤＳ３を追加記録可能に、事前にフィールドが確保されて生成される。従ってこのＲＡＷデータファイルの編集処理では、撮影時の撮影情報ＤＳ０に対応する編集処理の撮影情報ＤＳ１〜ＤＳ３を追加記録することにより、また撮影時の撮影情報ＤＳ０に代えて、この編集処理の撮影情報ＤＳ１〜ＤＳ３でサムネイル画像データを処理することにより、従来に比して短時間で編集結果を反映させたサムネイル画像でＲＡＷデータの撮像結果を紹介することができ、一段とユーザーの使い勝手を向上することができる。
【０１１５】
なお電子スチルカメラにおける撮像結果の記録は、このようなＲＡＷデータによる方法以外に、ＥＸＩＦファイルのように、画像処理済みの画像データをデータ圧縮して記録する方法がある。しかしながらこのＥＸＩＦファイルでは、このデータ圧縮した画像処理済みの画像データに対応するように、画像処理済みのサムネイル画像データを記録することから、編集処理による画質の変化が反映されるように、サムネイル画像を表示することが困難な特徴がある。これに対してこの実施例のＲＡＷデータファイルでは、上述した編集処理の撮影情報の利用により、編集処理による画質の変化をサムネイル画像の表示に反映させることができ、ユーザーの使い勝手を向上することができる。
【０１１６】
またこの撮影時の撮影情報には、画像処理回路６における画質補正処理を特定する画質補正情報に加えて、シャッター速度、絞り等の光学系の設定の情報が含まれる。従って編集処理では、電子スチルカメラ１における撮影時の操作に対応する各種の設定を変更して種々に編集処理することができる。
【０１１７】
しかしながらＲＡＷデータを処理する各種の編集処理では、ノイズリダクションの調整量を可変したり、またシャープネスを調整したりする場合がある。またフォーカスを確認する場合もある。このような場合には、サムネイル画像では処理結果を確認し得ず、撮像結果の細部を詳細に検討することが必要になる。そこでこのＲＡＷデータファイルでは、このように細部の確認のための領域設定用の基準情報として、合焦位置情報、背景位置情報、顔位置情報等が設けられ、これらの情報が撮影時の情報として記録される（図２）。
【０１１８】
従ってこの実施例のＲＡＷデータファイルによれば、編集処理時、ＲＡＷデータの画像からユーザーの所望する部位を部分的に拡大して表示する場合に、この領域設定用の基準情報に基づいて、この拡大して表示する部位を簡易かつ確実に設定することができ、撮像結果の細部の確認に要する時間を従来に比して短くすることができる。
【０１１９】
すなわちこのようにして記録媒体９に記録された撮像結果は、この記録媒体９がコンピュータ２１に装着されて（図３）、ユーザーの操作により、サムネイル画像データ、撮影時の撮影情報ＤＳ０が順次再生され、このサムネイル画像データが撮影時の撮影情報ＤＳ０で画質補正処理されて一覧表示される（図４〜図６）。また所定のフォルダにダウンロードされた後、一覧表示される。従ってユーザーは、ＲＡＷデータファイルの撮像結果をサムネイル画像で一覧表示することにより、従来に比して一段と短時間でサムネイル画像が提供され、従来に比して一段と使い勝手を向上することができる。
【０１２０】
またこのようにして撮像結果をサムネイル画像により一覧表示する際に、必要に応じて撮影時の撮影情報ＤＳ０に代えて、編集処理の撮影情報ＤＳ１〜ＤＳ３でサムネイル画像データが画質補正されて表示され、編集処理による画質の変化を反映させてＲＡＷデータの撮像結果をサムネイル画像で一覧表示することができる。
【０１２１】
またこの一覧表示において、撮像結果における輝度分布、色のヒストグラム等の、画像データの解析結果の表示が指示された場合には、サムネイル画像データの処理により表示に供する解析結果が検出され、この解析結果による特性曲線がサムネイル画像と共に表示される（図５（Ｂ））。この表示にあっても、この実施例では、サムネイル画像データの解析により実行されることにより、格段的に短時間で解析結果を取得して表示することができ、従来に比してユーザーの使い勝手を向上することができる。
【０１２２】
すなわちＲＡＷデータの撮像結果は、このようにしてサムネイル画像が表示された状態で、ユーザーの操作に応動して撮影時の撮影情報ＤＳ０等が表示され（図１２及び図１３）、編集用のメニュー画面Ｍ６が表示され（図１４）、またこの編集用のメニュー画面Ｍ６におけるユーザーの操作に応動して、サムネイル画像データが画質補正処理されてプレビュー画面Ｍ７が表示され（図４）、またこのプレビュー画面Ｍ７に表示された撮像結果の解析結果が表示される（図１４、Ｍ８）。
【０１２３】
またこのようにしてプレビューの処理を実行する際に、サブウインドウＭ３による拡大表示、メイン画面Ｍ１における全画面表示が指示されている場合には、プレビュー画面による表示と連動して画質を補正した撮像結果がこれらサブウインドウＭ３、メイン画面Ｍ１に表示される。またプレビューの表示の一部領域の拡大表示が指示された場合には、サブウインドウＭ３、メイン画面Ｍ１にこの領域が拡大表示される。
【０１２４】
この処理において、撮像結果は、始めにユーザーが指示した条件でサムネイル画像データＤＴが画質補正処理されて、これらサブウインドウＭ３、メイン画面Ｍ１に表示された後、バックグラウンドの処理によりＲＡＷデータＤＲが処理されて、これらサブウインドウＭ３、メイン画面Ｍ１の表示が、このＲＡＷデータＤＲの表示に置き換えられる。
【０１２５】
従ってユーザーは、編集処理に係る各種の設定量を可変した場合に、この設定量の可変による画質の変化を即座に確認することができ、使い勝手を向上することができる。またバックグラウンドの処理によりＲＡＷデータＤＲを処理して表示を置き換えることにより、最終的な編集結果の詳細な確認については、実際に編集処理したＲＡＷデータＤＲの画像で確認することができ、使い勝手を向上することができる。
【０１２６】
このシステムでは、このようにして撮影時の撮影情報に対応するように、編集作業の撮影情報を種々に変更してユーザーが編集結果の保存を指示すると、この編集作業の撮影情報がＲＡＷデータファイルの対応するフィールドに追加記録され、以降のファイルの再生において、編集結果による画質をサムネイル画像による表示に反映させることができる。
【０１２７】
これに対してサムネイル画像の一覧表示、各画像の編集処理において、細部の確認を要する場合、コンピュータ２１では、ユーザーの操作に応動して確認する領域の画像データがＲＡＷデータから切り出され、この切り出された画像データが対応する画質補正処理を受けた後、拡大表示される。
【０１２８】
すなわちサムネイル画像の一覧表示では、各サムネイル画像に対応して合焦位置の細部がそれぞれ拡大表示され（図５（Ｃ））、また合焦位置と背景とがそれぞれ拡大表示される（図９）。このときこのコンピュータ２１では、拡大表示する領域の画像データだけ、ＲＡＷデータが選択的に取得されて画質補正されることから、全画面分のＲＡＷデータを読み出した後、画質補正し、その後、部分的に拡大表示する場合に比して、格段的に短い時間で細部を確認することができ、ユーザーの使い勝手を向上することができる。
【０１２９】
またこのときＲＡＷデータに設定された領域設定用の基準情報に基づいて、ＲＡＷデータから切り出す領域が設定され、この設定した領域で合焦位置、背景位置、顔位置等が切り出される。従ってこのコンピュータ２１では、例えばサムネイル画像の表示で拡大表示する領域の選定を受け付ける等の処理を別途実行しなくても、ユーザーの確認したい箇所を、迅速かつ正確に拡大表示することができ、これによっても細部の確認に要する時間を従来に比して短くすることができる。
【０１３０】
すなわちこの実施例では、この基準情報が、合焦位置情報、背景位置情報、顔位置情報等であることから、合焦位置、背景、顔等を迅速かつ正確に拡大表示することができ、これらの各部の確認に要する時間を従来に比して短くすることができる。
【０１３１】
具体的に、このような合焦位置、顔位置等を確認してノイズリダクション処理結果等を確認して、調整量の過不足を詳細に検討することができる。
【０１３２】
これに対して編集処理時には、サムネイル画像の一覧表示でユーザーが選択した撮像結果のプレビュー画像が表示され、このプレビュー画像において、拡大表示する部位が枠Ｗで囲まれて表示され（図１４、Ｍ７）、この部位の拡大画像が表示される。この場合も、この拡大表示する領域は、ＲＡＷデータファイルに設定された基準情報に基づいて設定され、またこの拡大表示する領域に対応するようにプレビュー画面に枠Ｗが表示される。またこの拡大表示する領域のＲＡＷデータが選択的に取得された画質補正されて表示される。またその後、残りの領域を含む全画面のＲＡＷデータが画質補正されて画像メモリに格納され、拡大表示する部位がスクロール可能となる（図１６）。
【０１３３】
またこの拡大表示した状態で、ユーザーがノイズリダクションの調整量を可変すると、この調整量の分だけ画質補正量が補正されて拡大表示が更新される。このときユーザーが比較対象の拡大表示を指示している場合、ユーザーの指示に従って調整量を可変前の例えば撮影時の画質による対応する部位の拡大表示、同様に画質補正した背景部分の拡大表示等が実行され（図１７、図１８）、この場合も、ＲＡＷデータファイルに記録された基準情報に基づいて所望する箇所の詳細を簡易かつ確実に確認することができる。
【０１３４】
（３）実施例の効果
以上の構成によれば、ＲＡＷデータを部分的に切り出し、画質補正して表示することにより、撮像結果の細部の確認に要する時間を従来に比して短くすることができる。
【０１３５】
またこの切り出す領域を撮像結果のファイルに設けられた領域設定用の基準情報に基づいて実行することにより、簡易かつ確実に所望する箇所の詳細を確認することができる。
【０１３６】
またこの領域設定用の基準情報が、撮像結果において合焦している位置を示す合焦情報であることから、合焦している箇所の詳細を簡易かつ確実に確認することができる。
【０１３７】
またこの画質補正が、撮像結果の高域成分を可変する処理であることから、より具体的にノイズ抑圧処理であることから、過度な高域成分の抑圧等を簡易に確認することができる。
【０１３８】
またこの切り出した領域の拡大表示が、撮像結果のファイルの一覧表示であることから、例えば動きのある被写体を連続して撮影した複数枚の撮像結果から最もシャープな撮像結果を選択する等の作業を簡略化することができる。
【０１３９】
またサムネイル画像を表示した後、切り出した画像で置き換えることにより、確認に要するユーザーのいらいら感を低減させることができる。
【０１４０】
また一覧表示でユーザーが選択した撮像結果について、画質補正前の画像データを選択的に取得して画質補正して表示することにより、ユーザーの所望する画像の詳細を簡易かつ迅速に確認することができる。
【０１４１】
またユーザーによる操作に応動して画質補正量を可変することにより、補正結果を即座に確認することができる。
【実施例２】
【０１４２】
なお上述の実施例においては、画質補正前のサムネイル画像データと、画質補正済みのサムネイル画像データとをＲＡＷデータファイルに設定する場合について述べたが、本発明はこれに限らず、画質補正済みのサムネイル画像データについては、必要に応じてＲＡＷデータファイルへの設定を省略するようにしてもよい。
【０１４３】
また上述の実施例においては、電子スチルカメラで取得した撮像結果を記録媒体に出力してコンピュータで処理する場合について述べたが、本発明はこれに限らず、無線通信等のデータ通信手段でコンピュータに出力して処理する場合等にも広く適用することができる。
【０１４４】
また上述の実施例においては、電子スチルカメラで取得した撮像結果をコンピュータで処理する場合について述べたが、本発明はこれに限らず、電子スチルカメラで取得した撮像結果をこの電子スチルカメラで編集処理する場合にも広く適用することができる。
【０１４５】
また上述の実施例においては、電子スチルカメラで撮像結果を取得する場合について述べたが、本発明はこれに限らず、ビデオカメラ、カメラ付き携帯電話等で静止画による撮像結果を取得する場合等にも広く適用することができる。
【０１４６】
また上述の実施例においては、コンピュータで撮像結果を処理する場合について述べたが、本発明はこれに限らず、専用の処理装置で撮像結果を処理する場合にも広く適用することができる。
【産業上の利用可能性】
【０１４７】
本発明は、例えば電子スチルカメラによるシステムに適用することができる。
【図面の簡単な説明】
【０１４８】
【図１】本発明の実施例に係る電子スチルカメラを示すブロック図である。
【図２】図１の電子スチルカメラのファイルフォーマットを示す図表である。
【図３】図１の電子スチルカメラの撮像結果を処理するコンピュータの構成を示すブロック図である。
【図４】図３のコンピュータによる編集プログラムの表示画面を示す平面図である。
【図５】図４の表示画面におけるサブウインドウを示す平面図である。
【図６】図５のサブウインドウの表示に係る処理手順を示すフローチャートである。
【図７】図５のサブウインドウにおいて拡大画像を表示する場合の処理手順を示すフローチャートである。
【図８】図５のサブウインドウにおいて参照画像の拡大画像を表示する場合の処理手順を示すフローチャートである。
【図９】図８の処理手順による表示を示す平面図である。
【図１０】ユーザーが選択した画像の全画面表示を示す平面図である。
【図１１】図１０の撮像結果の表示に係る処理手順を示すフローチャートである。
【図１２】撮影情報の表示を示す平面図である。
【図１３】撮影情報の種類の表示を示す平面図である。
【図１４】編集処理の説明に供する平面図である。
【図１５】編集処理における処理手順を示すフローチャートである。
【図１６】拡大画像の表示手順を示すフローチャートである。
【図１７】撮影時の画質による比較画像を表示する場合のフローチャートである。
【図１８】背景を比較画像とした場合のフローチャートである。
【符号の説明】
【０１４９】
１……電子スチルカメラ、２、２３……中央処理ユニット、３……撮像素子、４……前処理回路、５……光学補正回路、６……画像処理回路、７……エンコーダ、９……記録媒体、１０……ＲＡＷデータファイル生成回路
【図１】
0004788488.tif 000002
【図２】
0004788488.tif 000003
【図３】
0004788488.tif 000004
【図４】
0004788488.tif 000005
【図５】
0004788488.tif 000006
【図６】
0004788488.tif 000007
【図７】
0004788488.tif 000008
【図８】
0004788488.tif 000009
【図９】
0004788488.tif 000010
【図１０】
0004788488.tif 000011
【図１１】
0004788488.tif 000012
【図１２】
0004788488.tif 000013
【図１３】
0004788488.tif 000014
【図１４】
0004788488.tif 000015
【図１５】
0004788488.tif 000016
【図１６】
0004788488.tif 000017
【図１７】
0004788488.tif 000018
【図１８】
0004788488.tif 000019